(57)【要約】【課題】システム全体の大型化を回避しつつシステム全体の剛性を保ち、ユーザが快適に使用できるシステムカメラを提供する。【解決手段】システムカメラは、通気口１６２が設けられた面を少なくとも１つ有し、第通気口１６２を介して内部と外部とで熱交換可能であり、かつ通気口１６２を含む流路１６６を有するカメラ１と、カメラ１に取り外しが可能に装着され、ファンユニット５３を保持するベース部５１と遮蔽部５２とを有する冷却モジュール５とを備える。冷却モジュール５は、カメラに装着された状態でファンユニット５３が通気口１６２の一部に重畳して配置され、遮蔽部５２が通気口１６２のファンユニット５３との非重畳領域の少なくとも一部を遮蔽して、流路１６６を強制空冷流路にする。【選択図】図２
2019102997.tif 000002
【特許請求の範囲】
【請求項１】
第１の通気口が設けられた面を少なくとも１つ有し、前記第１の通気口を介して内部と外部とで熱交換が可能で、かつ前記第１の通気口を含む第１の流路を有するカメラと、
前記カメラに取り外しが可能に装着され、ファンユニットを保持するベース部と第１の遮蔽部とを有する冷却モジュールと、
を備えるシステムカメラであって、
前記冷却モジュールは、前記カメラに装着された状態で前記ファンユニットが前記第１の通気口の一部に重畳して配置され、前記第１の遮蔽部が前記第１の通気口の前記ファンユニットとの非重畳領域の少なくとも一部を遮蔽して、前記第１の流路を強制空冷流路にすることを特徴とするシステムカメラ。
【請求項２】
さらに、前記カメラに取り外しが可能に装着され、機能を拡張する拡張モジュールを備え、
前記拡張モジュールは、第２の通気口が設けられた面を有し、前記第２の通気口を介して内部と外部とで熱交換が可能であって、前記第２の通気口を含む第２の流路を有し、
前記冷却モジュールは、前記拡張モジュールを前記カメラに装着した状態で、前記第１の遮蔽部が前記カメラと前記拡張モジュールとの間に配置され、かつ前記ファンユニットが前記第１の流路と前記第２の流路を跨るように配置可能に装着されることを特徴とする請求項１に記載のシステムカメラ。
【請求項３】
前記冷却モジュールは、前記ファンユニットが前記第１の流路と前記第２の流路の両方に跨る第１の位置と、前記ファンユニットが前記第１の流路にあってかつ前記第２の流路にない第２の位置とに遷移が可能であることを特徴とする請求項２に記載のシステムカメラ。
【請求項４】
前記冷却モジュールは、前記ファンユニットのスライド移動によって前記第１の位置と前記第２の位置とに遷移が可能であることを特徴とする請求項３に記載のシステムカメラ。
【請求項５】
前記ファンユニットは、並列に設けられた２つのファンを有し、
前記ファンユニットと前記ベース部にそれぞれ設けられ、前記ファンユニットと前記ベース部の間を通信が可能に接続するインターフェイスと、を有し、
前記ファンユニットは、前記ベース部に対して取り外しが可能に装着され、取り外した状態で前記ファンユニットを１８０°回転させて前記ベース部に装着することで、前記第１の位置と前記第２の位置とに遷移が可能であり、
前記インターフェイスは、前記第１の位置および前記第２の位置においてそれぞれ前記前記ファンユニットの前記２つのファンの回転数を個別に制御が可能に前記ファンユニットと前記ベース部とを接続することを特徴とする請求項３に記載のシステムカメラ。
【請求項６】
前記ベース部は、前記ファンユニットを保持する面に開口部を有し、
前記ファンユニットは、前記第１の位置において前記開口部の一部を覆い、前記第２の位置において前記開口部の全域を覆い、前記第１の位置において前記開口部の前記ファンユニットによる非重畳領域からの外気の前記ファンユニットへの流入を防ぐ第２の遮蔽部を有することを特徴とする請求項４または５のいずれか一項に記載のシステムカメラ。
【請求項７】
前記第１の遮蔽部は、前記第１の通気口の一部に対向する位置に開口部を有し、
前記冷却モジュールは、前記第１の遮蔽部の前記開口部を遮蔽する閉位置と遮蔽しない開位置とに遷移が可能な蓋部材を有し、
前記拡張モジュールの前記第２の流路は、前記開口部に対向する位置に第３の通気口を有し、前記第３の通気口を介して内部と外部とで熱交換が可能であって、
前記蓋部材は、前記閉位置において前記拡張モジュールの前記カメラへの固定部と干渉し、前記開位置において前記第２の通気口を遮蔽することを特徴とする請求項１乃至６のいずれか一項に記載のシステムカメラ。
【請求項８】
前記拡張モジュールは、前記カメラから伝送された撮像データを記録する記録機能、前記カメラへの電源供給機能、前記カメラをユーザが操作するための操作手段、他の電子機器と接続するためのインターフェイス、およびカメラから伝送された撮像データを表示する表示機能の少なくともいずれかを含むことを特徴とする請求項１乃至７のいずれか一項に記載のシステムカメラ。
【発明の詳細な説明】
【技術分野】
【０００１】
本発明は、カメラと、カメラに対してそれぞれ着脱可能に装着される冷却モジュールと拡張モジュールとを備えるシステムカメラに関する。
【背景技術】
【０００２】
デジタルビデオカメラ等は、撮像機能、電源供給機能、撮像データを取得して所定処理を行う電子回路、記録機能、表示機能、ユーザインターフェイスなど一連の機能を備えている。一方で近年、撮像機能と撮像データを取得して所定処理を行う電子回路のみを備えるカメラに、電源供給機能や記録機能、表示機能などの機能を備える拡張モジュールを装着して使用するシステムカメラが存在する。
【０００３】
一般に拡張モジュールは１つの機能を特化し、カメラにはシステムに必要な機能を備える拡張モジュールを複数種選択して取り付けることが多い。また、カメラに拡張モジュールを追加装着して、一部の機能の高性能化を図ったシステムカメラも存在する。このようなシステムカメラは、使用形態に応じて各機能の性能を調整できたり、一部の機能が高性能化したときに拡張モジュールを交換できたりして、ユーザに好都合である。
【０００４】
ところで、このようなシステムカメラは、使用形態に応じた消費電力の変化や各機能の高性能化による消費電力の上昇が想定される。従って、カメラの使用形態に対応した冷却手段が必要である。このような課題に対して、カメラと拡張モジュールが光軸方向に積層配置され、拡張モジュールの少なくとも１つが冷却ユニットを備えるものがある。
【先行技術文献】
【特許文献】
【０００５】
【特許文献１】特表２０１２−５１４３９１号公報
【発明の概要】
【発明が解決しようとする課題】
【０００６】
しかし、上記特許文献１では、各拡張モジュールが冷却ユニットによって拡張モジュール自身を冷却する構成の場合、例えば低温環境下のように冷却手段が不要な場合であっても冷却ユニットを備えることになり、冗長なシステムとなる。
【０００７】
そこで、本発明は、カメラの大型化を回避しつつシステム全体の剛性を保ち、ユーザが快適に使用できるシステムカメラを提供することを目的とする。
【課題を解決するための手段】
【０００８】
上記目的を達成するために、本発明のシステムカメラは、第１の通気口が設けられた面を少なくとも１つ有し、前記第１の通気口を介して内部と外部とで熱交換が可能で、かつ前記第１の通気口を含む第１の流路を有するカメラと、前記カメラに取り外しが可能に装着され、ファンユニットを保持するベース部と第１の遮蔽部とを有する冷却モジュールと、を備えるシステムカメラであって、前記冷却モジュールは、前記カメラに装着された状態で前記ファンユニットが前記第１の通気口の一部に重畳して配置され、前記第１の遮蔽部が前記第１の通気口の前記ファンユニットとの非重畳領域の少なくとも一部を遮蔽して、前記第１の流路を強制空冷流路にすることを特徴とする。
【発明の効果】
【０００９】
本発明によれば、冷却モジュールの装着によるシステム全体の大型化を回避しつつシステム全体の剛性を保ち、ユーザが快適に使用できるシステムカメラを提供することができる。
【図面の簡単な説明】
【００１０】
【図１】本発明の第１の実施形態に係るシステムカメラの概念図である。
【図２】冷却モジュール、カメラの放熱部、拡張モジュールの放熱部６周辺を説明する概念図である。
【図３】遮蔽部の役割を説明する図である。
【図４】システムカメラを構成するカメラ単体を示す斜視図である。
【図５】カメラの一部を分解した斜視図である。
【図６】拡張モジュールを示す斜視図である。
【図７】拡張モジュールの一部を分解した斜視図である。
【図８】冷却モジュールの分解斜視図である。
【図９】冷却モジュールを示す斜視図である。
【図１０】ファンユニットを第２の位置に保持した冷却モジュールを示す一部を破断した断面斜視図である。
【図１１】カメラに冷却モジュールを装着した状態を示す斜視図である。
【図１２】カメラ単体の一部を破断した斜視図である。
【図１３】カメラに拡張モジュールを装着した状態を示す斜視図である。
【図１４】カメラに拡張モジュールと冷却モジュールを装着する手順を示す分解斜視図である。
【図１５】カメラに拡張モジュールと冷却モジュールを装着した状態を示す斜視図である。
【図１６】本発明の第２の実施形態に係るシステムカメラの冷却モジュールを示す斜視図である。
【図１７】冷却モジュールの分解斜視図である。
【図１８】冷却モジュールを上面から見た図である。
【図１９】カメラに冷却モジュールを装着した場合を示す斜視図である。
【図２０】カメラに拡張モジュールと冷却モジュールを装着した状態を示す斜視図である。
【図２１】本発明の第３の実施形態に係るシステムカメラの冷却モジュールと放熱部の周辺を示す概念図である。
【図２２】カメラの斜視図である。
【図２３】冷却モジュールを示す斜視図である。
【図２４】拡張モジュールの斜視図である。
【図２５】カメラに冷却モジュールを装着した状態を示す斜視図である。
【図２６】カメラに拡張モジュールと冷却モジュールを装着する手順を示す斜視図である。
【図２７】カメラに拡張モジュールと冷却モジュールを装着した状態を示す斜視図である。
【発明を実施するための形態】
【００１１】
以下、図面を参照して、本発明の実施形態を説明する。
【００１２】
（第１の実施形態）
図１（ａ）は、本発明の第１の実施形態に係るシステムカメラの概念図である。図１（ａ）は、デジタルビデオカメラ１（以下、カメラ１という。）に拡張モジュール４と冷却モジュール５を装着したシステムカメラを示している。ユーザは、複数種の拡張モジュールを装着して電気接続することにより、システムカメラの使用形態に応じた機能を追加することができる。また、システムカメラは、使用形態や動作モードに応じて消費電力が変わる。
【００１３】
そこで、冷却モジュール５を装着してカメラ１と拡張モジュール４の温度を仕様温度以下に抑制することができる。拡張モジュール４は、例えば、カメラ１から伝送された撮像データを記録する記録機能、カメラ１への電源供給機能、カメラ１をユーザが操作するための操作手段、他の電子機器と接続するためのインターフェイス等がある。また、カメラ１から伝送された撮像データを表示する表示機能があるが、本実施形態では、記録モジュールとして説明する。
【００１４】
図１（ａ）の使用形態では、カメラ１内の記録部１３に映像データを記録せず、拡張モジュール４に出力して記録する。例えば高ビットレート映像のような高負荷の処理を要する大容量データを長時間記録する場合に適する。
【００１５】
図１（ｂ）は、拡張モジュール４と冷却モジュール５を装着しないカメラ１単体の状態を示す概念図である。カメラ１単体での使用は、カメラ１内部に備える記録部１３に小容量データを記録する場合に適する。
【００１６】
図１（ｃ）は、カメラ１に拡張モジュール４を装着せず、かつ冷却モジュール５を装着した場合を示す概念図である。図１（ｃ）では、カメラ１内部に備える記録部１３に映像データを短時間記録し、同時に高負荷処理を実行する場合に適している。例えば高ビットレート映像データを短時間記録する場合などである。図１（ｃ）は、拡張モジュールがなくカメラ１と冷却モジュール５からなるシステムカメラにも適用できる。
【００１７】
図１（ｄ）は、冷却モジュール５を装着せず、カメラ１に拡張モジュール４を装着した場合を示す概念図である。図１（ｄ）では、カメラ１から拡張モジュール４に映像データを出力して記録するが、低温環境下での撮影などで冷却が不要である場合に適する。
【００１８】
図１（ａ）に戻り、システムカメラの構成と基本動作を説明する。カメラ１の正面側には、レンズ２１を含むレンズ鏡筒２が設けられている。レンズ鏡筒２は、例えばバヨネットのようなマウント方式によってカメラ１に対して着脱可能であっても良いし、カメラ１と一体に設けられていても良い。
【００１９】
また、カメラ１は、撮像素子２２、フレキシブル基板１１、基板１２、記録部１３、電源供給部１４及び放熱部１６を有する。撮像素子２２は、レンズ２１を透過して結像する光学情報を電気信号に変換し、フレキシブル基板１１を経由して基板１２に転送する。
【００２０】
基板１２は、撮像素子２２から送られた電気信号を記録部１３に送って記録するなどの処理を実行したりする。電源供給部１４は、上記処理を実施するための電源を供給する。記録部１３は、カメラ１に対して着脱可能なメモリカード等の記録媒体で構成される。記録媒体は小容量であり、大容量のデータを長時間記録するときには不向きである。
【００２１】
そこで、大容量のデータを記録するときは、カメラ１の背面側に拡張モジュール４を着脱可能に装着し、カメラ１から拡張モジュール４にデータを出力して拡張モジュール４に記録する。拡張モジュール４は、図１では不図示の外部インターフェイスを経由して、基板１２で処理された電気信号を受け取り、拡張モジュール４内の基板４２に送信する。
【００２２】
基板４２は、受信した電気信号を拡張モジュール４内の記録部４３に送って記録処理を実行する。カメラ１の放熱部１６は、基板１２から生じた熱を放熱する。拡張モジュール４の放熱部４６は、基板４２から生じた熱を放熱する。
【００２３】
放熱部１６と放熱部４６の図の太い破線部は、カメラ１と拡張モジュール４の外装カバーにそれぞれ設けられた通気口の配置箇所を示している。この通気口は、装置内部と外部とで熱交換する。冷却モジュール５と放熱部１６と放熱部４６の関係は図２を用いて後述する。
【００２４】
図２は、冷却モジュール５、カメラの放熱部１６、拡張モジュール４の放熱部４６周辺を説明する概念図である。図２（ａ）はカメラ１に拡張モジュール４と冷却モジュール５を装着した状態を示す図、図２（ｂ）は拡張モジュール４と冷却モジュール５を装着しないカメラ１単体の状態を示す図である。図２（ｃ）は、カメラ１に拡張モジュール４を装着せず、かつ冷却モジュール５を装着した状態を示す図である。
【００２５】
図２（ａ）に示すように、カメラ１の放熱部１６は、カメラ１の上面に設けられた通気口１６１、カメラ１の背面に設けられた通気口１６２、カメラ１の底面に設けられた通気口１６３、およびダクト１６４を備える。ダクト１６４は、熱伝達効率を上げるためのフィン形状やピン形状が配置されていても良い。
【００２６】
基板１２には、所定処理を実行する素子１２１〜１２３が実装されている。素子１２１〜１２３は、カメラ動作時における主な熱源となり、素子１２１〜１２３の熱はダクト１６４に伝達され、通気口１６１〜１６３、ダクト１６４によって形成される空間１６６に放出される。
【００２７】
一方、拡張モジュール４の放熱部４６は、拡張モジュール４の上面に設けられた通気口４６１、拡張モジュール４の放熱面となる前面部４６２、拡張モジュール４の底面に設けられた通気口４６３およびダクト４６４を有する。ダクト４６４は、熱伝達効率を上げるためのフィン形状やピン形状が配置されていても良い。
【００２８】
基板４２には、記録部４３への記録処理を実行する素子４２１〜４２３が実装されている。素子４２１〜４２３は、拡張モジュール４の動作時における主な熱源となる。素子４２１〜４２３の熱は、ダクト４６４に伝達され、通気口４６１、前面部４６２、通気口４６３、ダクト４６４によって形成される空間４６６に放出される。
【００２９】
拡張モジュール４は、前面部４６２がカメラ１の背面の通気口１６２に対向するように、カメラ１に固定される。
【００３０】
冷却モジュール５は、ベース部５１、遮蔽部５２およびファンユニット５３を有する。遮蔽部５２は、カメラ１の通気口１６２に隣接して配置され、通気口１６２を遮蔽する。遮蔽部５２の詳細については、図３を用いて後述する。
【００３１】
ファンユニット５３は、ベース部５１に対して、第１の位置と第２の位置とに遷移可能に設置される。ここで、第１の位置は、図２（ａ）に示すように、遮蔽部５２の位置がファンユニット５３の中心と略一致する位置とする。また、第２の位置は、図２（ｃ）に示すように、ファンユニット５３の端部が遮蔽部５２と略一致して、ファンユニット５３が遮蔽部５２に対して凸とならない位置とする。
【００３２】
ファンユニット５３は、軸流ファン５３１を備え、図２（ａ）では矢印Ａの気流を発生させ、図２（ｃ）では矢印Ｃの気流を発生させる。ベース部５１は、ファンユニット５３の取り付ける面側に開口部５１１１を有し、カメラ１に取り付ける面側に開口部５１１２を有する。開口部５１１２は、通気口１６１の真上に配置される。
【００３３】
図２（ａ）に戻って、第１の位置においてファンユニット５３は、空間１６６と空間４６６に跨るように配置され、放熱部１６と放熱部４６の両方に強制空冷流路を形成して、素子１２１〜１２３及び素子４２１〜４２３を冷却する。
【００３４】
このとき、ファンユニット５３は、図８で後述する開口部５１１１の一部（領域Ｘ１）を覆う。遮蔽部５３２が重畳領域（領域Ｘ１）と非重畳領域（領域Ｘ２）とを分断して、遮蔽部５３２と放熱部１６から形成される強制空冷流路への外気の流入を防いでいる(矢印Ｙ)。
【００３５】
図２（ｂ）に示すように、カメラ１単体の場合、素子１２１〜１２３は、自然空冷によって冷却される。自然空冷の場合、外気をカメラ１の熱源近傍に供給できることが望ましい。本実施形態では、通気口１６２から外気Ｂを熱源近傍に供給することができる。
【００３６】
図２（ｃ）に示すように、カメラ１に拡張モジュール４を装着せず、かつ冷却モジュール５を装着する場合、ファンユニット５３は遮蔽部５２から突出しない第２の位置に配置される。この状態では、遮蔽部５２が通気口１６２を遮蔽しており、通気口１６３を吸気口とし通気口１６１を排気口とする強制空冷流路Ｃが形成される。このとき、ファンユニット５３は開口部５１１１全体を覆う。
【００３７】
従って、軸流ファン５３１の全体で吸い上げることが可能であり、図２（ａ）よりも軸流ファン５３１を低速で回転させて低騒音化を図ったり、カメラ１に対する冷却効率を上げてより高負荷の動作をさせたりすることが可能である。
【００３８】
次に、図２（ｃ）及び図３を参照して、遮蔽部５２の役割を説明する。仮に遮蔽部５２がない場合、ファンユニット５３で図３の矢印Ａ方向の気流を発生させても、通気口１６２の通気口１６１近傍から吸気され（気流Ｄ）、素子１２１〜１２３を冷却できない。
【００３９】
図２（ｃ）に示すように、遮蔽部５２が通気口１６２を塞ぐことで、通気口１６３を吸気口とし通気口１６１を排気口とする強制空冷流路Ｃが形成される。これにより、素子１２１〜１２３の放熱部近傍を外気が通過し、素子１２１〜１２３を効率的に冷却することができる。
【００４０】
図４は、システムカメラを構成するカメラ１単体を示す斜視図である。カメラ１の上面には通気口１６１、背面には通気口１６２、底面には通気口１６３がそれぞれ設けられている。また、カメラ１の背面には、通気口１６２の外側位置で外部インターフェイス１５１が設けられている。カメラ１の上面には、冷却モジュール５と通信するための外部インターフェイス１５２が設けられている。
【００４１】
固定部１７１、１７３は、拡張モジュール４の固定部であり、本実施形態ではネジを光軸方向に螺合するネジ締結部として説明する。固定部１７２は、冷却モジュール５の固定部であり、本実施形態では上面からネジを螺合するネジ締結部として説明する。
【００４２】
図５は、カメラ１の一部を分解した斜視図である。基板１２には、記録動作時における主な熱源となる素子１２１〜１２３が実装され、素子１２１〜１２３はダクト１６４に接触する。ダクト１６４には、熱伝達効率を上げるための放熱フィン１６４１が通気口１６３から通気口１６１に向かって配置される。
【００４３】
図６は、拡張モジュール４を示す斜視図である。拡張モジュール４の上面には、通気口４６１、底面には通気口４６３がそれぞれ設けられている。また、固定部４７１、４７３は、拡張モジュール４をカメラ１に固定するための固定部である。本実施形態では、ネジを光軸方向に螺合するためのネジ座面として説明するが、カメラ１側の固定方式に対応する手段であれば特に限定されない。
【００４４】
前面部４６２には、カメラ１の外部インターフェイス１５１と通信する外部インターフェイス４５が設けられている。外部インターフェイス４５の通信方法は外部インターフェイス１５１の通信方法と同じく公知であり、詳細を省略する。
【００４５】
図７は、拡張モジュール４の一部を分解した斜視図である。基板４２には、撮影記録時における主な熱源となる素子４２１〜４２３が実装され、素子４２１〜４２３は、ダクト４６４に接触する。ダクト４６４には、熱伝達効率を上げるための放熱フィン４６４１が通気口４６３から通気口４６１に向かって設けられている。
【００４６】
図８は、冷却モジュール５の分解斜視図である。ベース部５１からは遮蔽部５２が延出して設けられ、遮蔽部５２には開口部５２１が設けられている。ベース部５１の上面には開口部５１１１を有し、下面は開口部５１１２を有する。ファンユニット５３には、遮蔽部５３２が設けられる。遮蔽部５３２の役割について図９で後述する。
【００４７】
ファンユニット５３は、凸部５３３が規制部５１２２に当接し、かつファンユニット５３から突出して凸方向にチャージするクリックバネ５３４が規制部５１２３に当接することで第１の位置に保持される。また、ファンユニット５３は、凸部５３３が規制部５１２１に当接し、かつクリックバネ５３４が規制部５１２２に当接することで第２の位置に保持される。
【００４８】
外部インターフェイス５５２は、カメラ１と通信するためのインターフェイスである。外部インターフェイス５５２からフレキシブル基板５４を経由して電力と制御信号が送られ、これにより、ファンユニット５３に固定された軸流ファン５３１が回転し、矢印Ａ方向の気流を発生させる。外部インターフェイス５５２は、電力と制御信号を送受するための複数の端子を備え、具体的には端から基準電圧、ＧＮＤ、ＰＷＭ１、ＦＧ１、ＰＷＭ２、ＦＧ２が配置されている。
【００４９】
ＰＷＭ(Pulse Width Modulation)は、軸流ファン５３１を外部からＰＷＭ制御を行う為のＤＵＴＹ比を伝える入力信号である。ＦＧ(Frequency Generator)は、軸流ファン５３１の回転数を伝える出力信号である。本実施形態では、２個の軸流ファン５３１が並列に近接配置される。近接配置された複数のファンの回転数は同一であることが望ましい。回転数が異なると、うなり騒音が発生するからである。
【００５０】
従って、本実施形態では、カメラ１の基板１２でＦＧ信号を参照して所望の回転数を実現するための適切なＰＷＭ信号を算出し、２個の軸流ファン５３１それぞれに異なるＰＷＭ信号を入力する回転数フィードバック制御を行う。２個の軸流ファン５３１の回転数は、システムカメラの使用形態、動作モード、使用環境条件などによって決まる。カメラ１の外部インターフェイス１５２にも、対応する端子(基準電圧、ＧＮＤ、ＰＷＭ１、ＦＧ１、ＰＷＭ２、ＦＧ２)が配置されている。
【００５１】
図９は、冷却モジュール５を示す斜視図である。ベース部５１は、ファンユニット５３を第１の位置と第２の位置にスライド移動が可能に保持する。図９では、ファンユニット５３が第１の位置に保持されており、ファンユニット５３の半分が遮蔽部５２から突出している。また、ファンユニット５３は、開口部５１１１の半分の領域を覆い、遮蔽部５３２が開口部５１１１の重畳領域と非重畳領域とを遮蔽する。
【００５２】
図１０は、ファンユニット５３を第２の位置に保持した冷却モジュール５を示す一部を破断した断面斜視図である。第２の位置では、ファンユニット５３が遮蔽部５２から突出しない位置に配置される。また、ファンユニット５３が開口部５１１１の全域を覆い、図１１で後述するように、開口部５１１２から入る気流を軸流ファン５３１全体で吸い上げることができる。
【００５３】
図１１（ａ）は、カメラ１に冷却モジュール５を装着した状態を示す斜視図であり、図１（ｃ）に対応する。図１１（ｂ）は、カメラ１に冷却モジュール５を装着した状態の一部を破断した斜視図である。
【００５４】
冷却モジュール５は、固定部５７２をカメラ１の固定部１７２にネジ締結して固定する。かかる固定状態では、開口部５１１２は、カメラ１の上面の通気口１６１の直上に配置される。ファンユニット５３は、開口部５１１１全域を覆っており、軸流ファン５３１全体を使って気流Ｃを発生させる。
【００５５】
図１２は、カメラ１単体の一部を破断した斜視図であり、図１（ｂ）に対応する。図１２の構成では、素子１２１〜１２３を自然空冷で冷却する(１２１、１２２は不図示)。自然空冷の場合、外気を熱源近傍で供給できることが望ましい。通気口１６２から外気が熱源近傍に直接供給され(矢印Ｂ)、効率的に素子１２１〜１２３を冷却できる。
【００５６】
ダクト１６４は素子１２１〜１２３から伝達する熱によって高温となるが、通気口１６１〜１６３を備える部分はダクト１６４と直接接触しておらず、ユーザが高温部に触れることはない。
【００５７】
図１３（ａ）は、カメラ１に拡張モジュール４を装着した状態を示す斜視図であり、図１（ｄ）に対応する。図１３（ｂ）は、カメラ１に拡張モジュール４を装着した状態の一部を破断した斜視図である。
【００５８】
拡張モジュール４は、固定部４７１を固定部１７１に、固定部４７３を固定部１７３にそれぞれネジ締結する。また、外部インターフェイス４５は、外部インターフェイス１５１に直接接続される（不図示）。
【００５９】
図１３の構成では、素子１２１〜１２３（素子１２１，１２２は不図示）及び素子４２１〜４２３（素子４２１，４２２は不図示）を自然空冷で冷却する)。カメラ１には、通気口１６１、ダクト１６４、通気口１６３、前面部４６２によって自然空冷流路が形成される。また、拡張モジュール４は、通気口４６１、ダクト４６４、通気口４６３、前面部４６２によって自然空冷流路が形成される。
【００６０】
図１４は、カメラ１に拡張モジュール４と冷却モジュール５を装着する手順を示す分解斜視図である。まず、冷却モジュール５の固定部５７２をカメラ１の固定部１７２にネジ締結して冷却モジュール５を固定する。
【００６１】
次に、拡張モジュール４の固定部４７１をカメラ１の固定部１７１にネジ締結し、固定部４７３（不図示）を固定部１７３にネジ締結して拡張モジュール４を固定する。このとき、固定部４７１を開口部５２１に挿通させ、拡張モジュール４をカメラ１に直接固定する。
【００６２】
図１５（ａ）は、カメラ１に拡張モジュール４と冷却モジュール５を装着した状態を示す斜視図であり、図１（ａ）に対応する。図１５（ｂ）は、カメラ１に拡張モジュール４と冷却モジュール５を装着した状態の一部を破断した斜視図である。
【００６３】
拡張モジュール４は、カメラ１に対し、図１４で説明した手順でネジ締結にて直接固定される。また、図示は省略するが、外部インターフェイス４５が外部インターフェイス１５１に直接接続される。
【００６４】
カメラ１の熱源に対しては遮蔽部５２が通気口１６２を覆っており、通気口１６１と通気口１６３とダクト１６４と遮蔽部５２とによって流路が形成される。一方、拡張モジュール４の熱源に対しては通気口４６１と前面部４６２と通気口４６３とダクト４６４とによって流路が形成される。
【００６５】
ファンユニット５３は、カメラ１の流路と拡張モジュール４の流路の両方に跨る位置に配置される。そして、軸流ファン５３１の回転により、カメラ１と拡張モジュール４の両方に強制空冷流路(Ｅ、Ｆ)を形成する。また、ファンユニット５３は、開口部５１１１の半分の領域を覆い、遮蔽部５３２が開口部５１１１の非重畳領域からの強制空冷流路への外気の流入を防ぐ。
【００６６】
以上説明したように、本実施形態では、拡張モジュール４と冷却モジュール５がカメラ１に別々に固定される。従って、カメラ１と拡張モジュール４との間に冷却モジュール５が挿入されても、拡張モジュール４の保持力やシステムカメラ全体の剛性への影響がない。また、カメラ１と拡張モジュール４との間に挿入される冷却モジュール５の部位は、遮蔽部５２のみであるため、冷却モジュール５を挿入することによるシステムカメラの光軸方向の大型化を抑制できる。更に、図１２で説明したように、カメラ１のみで動作させても、ユーザが高温部に触れることはない。
【００６７】
（第２の実施形態）
図１６は、本発明の第２の実施形態に係るシステムカメラの冷却モジュール６を示す斜視図である。本実施形態では、上記第１の実施形態に対して、カメラ１と拡張モジュール４は共通であるが、冷却モジュール６が冷却モジュール５と比べてファンユニットの位置を変更する方法が異なる。
【００６８】
図１６では、ファンユニット６３を第１の位置に保持している。ここで、本実施形態における第１の位置と第２の位置は、上記第１の実施形態における第１の位置と第２の位置と同じである。また、外部インターフェイス６５２は、カメラ１と通信するためのインターフェイスである。
【００６９】
ベース部６１の上面には、開口部６１１１を有し、下面には開口部６１１２を有し、ファンユニット６３には遮蔽部６３２が設けられる。第１の位置において、ファンユニット６３は開口部６１１１の半分の領域を覆い、遮蔽部６３２は開口部６１１１の重畳領域と非重畳領域を分断する。
【００７０】
図１７は、冷却モジュール６の分解斜視図である。ファンユニット６３は、ベース部６１に着脱可能に取り付けられる。図１７では、ファンユニット６３を第１の位置に保持している。外部インターフェイス６５３１は、ベース部６１がファンユニット６３と通信するためのインターフェイスである。
【００７１】
外部インターフェイス６５３１の端子は、端から順番にＰＷＭ１ｂ、ＦＧ１ｂ、ＧＮＤｂ、基準電圧ｂ、ＧＮＤｂ、ＦＧ２ｂ、ＰＷＭ２ｂが配置されている。ＰＷＭ（Pulse Width Modulation）は、ファンユニット６３の軸流ファン６３１Ａと軸流ファン６３１Ｂを外部から個別にＰＷＭ制御を行うためのＤＵＴＹ比を伝える入力信号である。ＦＧ（Frequency Generator）は、軸流ファン６３１Ａと軸流ファン６３１Ｂの回転数を伝える出力信号である。
【００７２】
一方、ファンユニット６３には、軸流ファン６３１Ａと軸流ファン６３１Ｂが並列に近接して配置されている。外部インターフェイス６５３２の端子は、端から順番にＰＷＭ１ｆ、ＦＧ１ｆ、ＧＮＤｆ、基準電圧ｆ、ＧＮＤｆ、ＦＧ２ｆ、ＰＷＭ２ｆが配置されている。ＰＷＭｆ、ＦＧ１ｆ、ＧＮＤｆは、軸流ファン６３１Ａと接続される。ＧＮＤｆ、ＦＧ２ｆ、ＰＷＭ２ｆは、軸流ファン６３１Ｂに接続される。基準電圧ｆは、軸流ファン６３１Ａと軸流ファン６３１Ｂの両方に接続される。
【００７３】
第１の位置において、ＰＷＭ１ｆとＰＷＭ１ｂ、ＦＧ１ｆとＦＧ１ｂ、ＧＮＤｆとＧＮＤｂ、基準電圧ｆと基準電圧ｂ、ＧＮＤｆとＧＮＤｂ、ＦＧ２ｆとＦＧ２ｂ、ＰＷＭ２ｆとＰＷＭ２ｂが接続される。
【００７４】
図１８（ａ）は第１の位置において冷却モジュール６を上面から見た図、図１８（ｂ）は第２の位置において冷却モジュール６を上面から見た図である。冷却モジュール６は、第１の位置に保持したファンユニット６３を取り外し、外部インターフェイス６５３２を中心に１８０°回転させることで、第２の位置に保持することが可能である。
【００７５】
第２の位置において、ＰＷＭ１ｆとＰＷＭ２ｂ、ＦＧ１ｆとＦＧ２ｂ、ＧＮＤｆとＧＮＤｂ、基準電圧ｆと基準電圧ｂ、ＧＮＤｆとＧＮＤｂ、ＦＧ２ｆとＦＧ１ｂ、ＰＷＭ２ｆとＰＷＭ１ｂが接続される。
【００７６】
カメラ１は相手を問わず、ＦＧ１ｂを参照してＰＷＭ１ｂにＤＵＴＹ比を出力し、ＦＧ２ｂを参照してＰＷＭ２ｂにＤＵＴＹ比を出力する。そのため、接続する相手が変わっても問題なく回転数フィードバック制御を実現できる。
【００７７】
図１９（ａ）はカメラ１に冷却モジュール６を装着した状態を示す斜視図、カメラ１に冷却モジュール６を装着した状態の一部を破断した斜視図である。図１９に示すように、ファンユニット６３は、第２の位置に配置され、カメラ１に対してベース部６１と共締めされる。
【００７８】
また、遮蔽部６２が通気口１６２を覆い、通気口１６１を排気口とし通気口１６３を吸気口とする強制空冷流路を形成する。ファンユニット６３は、開口部６１１１の全域を覆うため、通気口１６１から排気される気流は軸流ファン６３１の全体で吸い上げることが可能である（気流Ｃ）。
【００７９】
図２０（ａ）はカメラ１に拡張モジュール４と冷却モジュール６を装着した状態を示す斜視図、図２０（ｂ）はカメラ１に拡張モジュール４と冷却モジュール６を装着した状態の一部を破断した斜視図である。図２０に示すように、ファンユニット６３は、第１の位置に配置され、カメラ１に対してベース部６１と共締めされる。
【００８０】
カメラ１では、遮蔽部６２が通気口１６２を覆っており、通気口１６１と通気口１６３とダクト１６４と遮蔽部６２によって流路が形成される。一方、拡張モジュール４では、通気口４６１と前面部４６２と通気口４６３とダクト４６４とによって流路が形成されている。
【００８１】
ファンユニット６３は、カメラ１の流路と拡張モジュール４の流路の両方に跨る位置に配置され、軸流ファン６３１の回転により、カメラ１と拡張モジュール４の両方に強制空冷流路を形成する（Ｅ、Ｆ）。また、ファンユニット６３は、開口部６１１１の半分の領域を覆い、遮蔽部６３２が開口部６１１１の非重畳領域からの強制空冷流路への外気の流入を防ぐ。その他の構成、及び作用効果は、上記第１の実施形態と同様である。
【００８２】
（第３の実施形態）
図２１は、本発明の第３の実施形態に係るシステムカメラの冷却モジュール９と放熱部７６の周辺を示す概念図である。図２１（ａ）は、カメラ７と拡張モジュール８と冷却モジュール９とを装着した状態の冷却モジュール９、放熱部７６、放熱部８６の周辺を示す概念図である。図２１（ｂ）は、カメラ７に拡張モジュール８を装着せず、かつ冷却モジュール９を装着した状態を示す概念図である。
【００８３】
冷却モジュール９は、ベース部９１、遮蔽部９２及び軸流ファン９３１を備え、遮蔽部９２は、開口部９２１と開口部９２１を開閉可能に支持される蓋部材９２２を有する。蓋部材９２２は、開位置において、図２１（ａ）に示すように、遮蔽部９２に対して開口部９１１の反対側に配置される。
【００８４】
図２１（ｂ）の使用形態において、蓋部材９２２は、開口部９２１を遮蔽する位置に配置される。遮蔽部９２および蓋部材９２２がカメラ７の通気口７６２を遮蔽し、通気口７６１の直上に軸流ファン９３１が配置されることで、通気口７６３を吸気口とし通気口７６１を排気口とする強制空冷流路が形成される。
【００８５】
図２１（ａ）に戻り、拡張モジュール８の放熱部８６は、拡張モジュール８の上面に設けられた通気口８６１、拡張モジュール８の前面部８６２、拡張モジュール８の底面に設けられた通気口８６３およびダクト８６４を有する。ダクト８６４は、熱伝達効率を上げるために、フィンピンが設けられていても良い。前面部８６２は、開口部９２１に対向する位置に通気口８６２１を有する。冷却モジュール９の蓋部材９２２は、開位置に配置される。
【００８６】
このとき、蓋部材９２２は拡張モジュール８の通気口８６１を塞ぐ。一方、開口部９２１と通気口８６２１を通って空間８６６が空間７６６とつながり、放熱部７６と放熱部８６の両方に強制空冷流路を形成して、素子７２１〜７２３及び素子８２１〜８２３を効率的に冷却する。
【００８７】
図２１（ｃ）は、カメラ７に冷却モジュール９を装着せずに拡張モジュール８を装着した状態を示す概念図である。この構成では、空間７６６と空間８６６のそれぞれに自然空冷流路が形成され、素子７２１〜７２３及び素子８２１〜８２３を冷却する。
【００８８】
図２２（ａ）及び図２２（ｂ）はカメラ７の斜視図、図２２（ｃ）はカメラ７の一部を破断した斜視図である。カメラ７の上面には通気口７６１、背面には通気口７６２、底面には通気口７６３がそれぞれ設けられる。
【００８９】
また、カメラ７の背面には外部インターフェイス７５１が設けられ、上面には冷却モジュール９と通信するための外部インターフェイス７５２が設けられる。固定部７７１及び固定部７７３は、拡張モジュール８との固定部であり、例えばネジを光軸方向に螺合するネジ締結部として説明する。
【００９０】
図２３は、冷却モジュール９を示す斜視図である。蓋部材９２２は、軸９２２１を回転軸として遮蔽部９２に設けた開口部９２１と開口部９２３を塞ぐ閉位置と、塞がない開位置との間を回動可能である。２個の軸流ファン９３１は、ベース部９１の開口部９１１の直上に固定される。
【００９１】
図２４（ａ）は拡張モジュール８の斜視図、図２４（ｂ）は拡張モジュール８の一部を破断した斜視図である。拡張モジュール８は、上面に通気口８６１、底面に通気口８６３がそれぞれ設けられるほか、前面部８６２の冷却モジュール９の開口部９２１に対向する位置に通気口８６２１が設けられる。拡張モジュール８は、通気口８６１、通気口８６２１、通気口８６３、前面部８６２、ダクト８６４からなる空間８６６を備える。固定部８７１及び固定部８７３は、カメラ７への固定部である。
【００９２】
図２５（ａ）はカメラ７に冷却モジュール９を装着した状態を示す斜視図、図２５（ｂ）はカメラ７に冷却モジュール９を装着した状態の一部を破断した斜視図である。冷却モジュール９は、蓋部材９２２を閉めて使用する。軸流ファン９３１と開口部９１１は、通気口７６１の直上に配置され、蓋部材９２２と遮蔽部９２が通気口７６２を覆うことで、通気口７６１を排気口とし通気口７６３を吸気口とする強制空冷流路を形成する。
【００９３】
図２６は、カメラ７に拡張モジュール８と冷却モジュール９を装着する手順を示す分解斜視図である。冷却モジュール９の蓋部材９２２は、開位置に配置され、開口部９２１と開口部９２３が露出する。
【００９４】
冷却モジュール９の固定部９７２をカメラ７の固定部７７２にネジ締結して固定した後に、固定部８７１を開口部９２３に挿通させ、カメラ７の固定部７７１にネジ締結すると同時に固定部８７３を固定部７７３にネジ締結する。蓋部材９２２を閉じた場合、固定部８７１が蓋部材９２２と干渉するため、拡張モジュール８を取り付けることができない。
【００９５】
図２７（ａ）はカメラ７に拡張モジュール８と冷却モジュール９を装着した状態を示す斜視図、図２７（ｂ）はカメラ７に拡張モジュール８と冷却モジュール９を装着した状態の一部を破断した斜視図である。冷却モジュール９の蓋部材９２２は、開位置に配置される。このとき、蓋部材９２２は、拡張モジュール８の通気口８６１の直上に配置され、通気口８６１を塞ぐ。
【００９６】
一方、開口部９２１と通気口８６２１を通って空間８６６が空間７６６とつながる。軸流ファン９３１は、空間７６６と空間８６６に跨るように配置され、放熱部７６と放熱部８６の両方に強制空冷流路を形成して、素子７２１〜７２３（素子７２１，７２２は不図示）及び素子８２１〜８２３（素子８２１，８２２は不図示）を冷却する。
【００９７】
冷却モジュール９によってカメラ７と拡張モジュール８の両方を強制空冷するには、蓋部材９２２が開位置にあり、通気口８６３を塞いで開口部９２１を開けることが必要である。また、図２６に示したように、蓋部材９２２を開けないと拡張モジュール８を取り付けることができないので、ユーザの誤組みを防ぐことができる。その他の構成、及び作用効果は、上記第１の実施形態と同様である。
【００９８】
なお、本発明の構成は、上記各実施形態に例示したものに限定されるものではなく、材質、形状、寸法、形態、数、配置箇所等は、本発明の要旨を逸脱しない範囲において適宜変更可能であり、上述の実施形態の一部を適宜組み合わせてもよい。例えば、上記実施形態では、カメラ本体と冷却モジュールと拡張モジュールからなるシステムカメラとして説明しているが、図１（ｃ）や図２（ｃ）に示すようなカメラ本体と冷却モジュールからなるシステムカメラであっても良い。
【００９９】
また、上記各実施形態では、ファンユニットは２個の軸流ファンを並列に近接配置しているが、シロッコファンでも良く、また、ファンは単数でも良いし３つ以上でも良い。
【０１００】
また、上記各実施形態では、ファンユニットはカメラの上面に配置しているが、カメラの他の面に設けた通気口に重畳させるように配置しても良い。また、カメラ背面の拡張モジュールと干渉しない位置にファンユニットを通気口に重畳させて配置し、カメラの上面あるいは他の面の通気口を吸気口とする強制空冷流路を形成しても良い。
【符号の説明】
【０１０１】
１  カメラ
４  拡張モジュール
５  冷却モジュール
１６  放熱部
５３  ファンユニット
１６１〜１６３  通気口
１６４１  放熱フィン
【図１】
2019102997.tif 000003
【図２】
2019102997.tif 000004
【図３】
2019102997.tif 000005
【図４】
2019102997.tif 000006
【図５】
2019102997.tif 000007
【図６】
2019102997.tif 000008
【図７】
2019102997.tif 000009
【図８】
2019102997.tif 000010
【図９】
2019102997.tif 000011
【図１０】
2019102997.tif 000012
【図１１】
2019102997.tif 000013
【図１２】
2019102997.tif 000014
【図１３】
2019102997.tif 000015
【図１４】
2019102997.tif 000016
【図１５】
2019102997.tif 000017
【図１６】
2019102997.tif 000018
【図１７】
2019102997.tif 000019
【図１８】
2019102997.tif 000020
【図１９】
2019102997.tif 000021
【図２０】
2019102997.tif 000022
【図２１】
2019102997.tif 000023
【図２２】
2019102997.tif 000024
【図２３】
2019102997.tif 000025
【図２４】
2019102997.tif 000026
【図２５】
2019102997.tif 000027
【図２６】
2019102997.tif 000028
【図２７】
2019102997.tif 000029